(57)【要約】【課題】  排水の流れをスムーズにして流速を増大させることができ、排水経路中における汚れやぬめり等の堆積を抑制することができる、新しい浴室用封水筒型排水トラップ装置を提供する。【解決手段】  排水トラップ本体（１）から排水するための排水配管（３）は、排水配管（３）の中心軸が排水トラップ本体（１）の水平面における中心軸に対して４５度から９０度の範囲の角度を有して、排水トラップ本体（１）の円周方向に沿って、排水トラップ本体（１）に連設されていることを特徴とする。【選択図】図１
2005180077.tif 000002
【特許請求の範囲】
【請求項１】
排水トラップ本体から排水するための排水配管が、排水配管の中心軸が排水トラップ本体の水平面における中心軸に対して４５度から９０度の範囲の角度を有して、排水トラップ本体の円周方向に沿って、排水トラップ本体に連設されていることを特徴とする浴室用封水筒型排水トラップ装置。
【請求項２】
浴室からの排水を排水トラップ本体に導くための排水導管が、排水導管の中心軸が排水トラップ本体の水平面における中心軸に対して４５度から９０度の範囲の角度を有して、排水トラップ本体の円周方向に沿って、排水トラップ本体に連設されていることを特徴とする浴室用封水筒型排水トラップ装置。
【請求項３】
排水トラップ本体から排水するための排水配管が、排水配管の中心軸が排水トラップ本体の水平面における中心軸に対して４５度から９０度の範囲の角度を有して、排水トラップ本体の円周方向に沿って、排水トラップ本体に連設され、浴槽からの排水を排水トラップ本体に導くための排水導管が、排水導管の中心軸が排水トラップ本体の水平面における中心軸に対して４５度から９０度の範囲の角度を有して、排水トラップ本体の円周方向に沿って、排水トラップ本体に連設されており、かつ、排水配管および排水導管それぞれの中心軸が排水トラップ本体の水平面における中心軸に対して逆の角度で連設されていることを特徴とする浴室用封水筒型排水トラップ装置。
【請求項４】
排水配管および排水導管の連設箇所が、垂直方向で略重なる位置に設けられている請求項３に記載の浴室用封水筒型排水トラップ装置。
【請求項５】
排水導管が、浴槽以外からの排水を排水トラップ本体に導くための排水導管である請求項２または３に記載の浴室用封水筒型排水トラップ装置。
【発明の詳細な説明】
【技術分野】
【０００１】
この出願の発明は、浴室用封水筒型排水トラップ装置に関するものである。さらに詳しくは、この出願の発明は、排水の流れをスムーズにして流速を増大させることができ、汚れやぬめり等の堆積を抑制することができる、新しい浴室用封水筒型排水トラップ装置に関するものである。
【背景技術】
【０００２】
従来の浴室用封水筒型排水トラップ装置は、たとえば、図７および図８に示したように下水管からの異臭等を防止するための封水筒（イ）を備えた浴室用封水筒型排水トラップ装置であって、排水トラップ本体（ア）から排水するための排水配管（エ）が、排水配管（エ）の中心軸（ケ）が排水トラップ本体（ア）の水平面における中心軸（ク）と同一線上で、また、排水トラップ本体（ア）の外方向に向かって、排水トラップ本体（ア）に連設されている。そして、排水トラップ本体（ア）から排水配管（エ）を通じて排水している。具体的には、この排水トラップ本体（ア）による排水は、浴室の洗い場（ウ）からの排水および排水導管（キ）を通じて流れてくる浴槽（オ）からの排水が、矢印に示したように、一旦洗い場（ウ）に設けられている排水口（カ）に流れ込み、次いで、排水トラップ本体（ア）内に流れ込んで、排水配管（エ）を通じて排水されている。
【０００３】
また、たとえば、図９、図１０および特許文献１に示すように、浴槽（オ）からの排水を排水トラップ本体（ア）に導くための排水導管（キ）が、排水トラップ本体（ア）に連設されている浴室用封水筒型排水トラップ装置も提案されている。この浴室用封水筒型排水トラップ装置の場合は、排水配管（エ）の排水トラップ本体（ア）への連設は、上記の図７および図８の例と同様であり、排水導管（キ）についても、排水導管（キ）の中心軸（ケ）が排水トラップ本体（ア）の水平面における中心軸（ク）と同一線上で、また、排水トラップ本体（ア）の外方向に向かって、排水トラップ本体（ア）に連設されている。そして、洗い場（ウ）からの排水は、下水管からの異臭等を防ぐための封水筒（イ）を備えた排水トラップ本体（ア）に流れ込み、一方、浴槽（オ）からの排水は、排水導管（キ）により、直接排水トラップ本体（ア）に流れ込んで、最終的に洗い場（ウ）からの排水とともに排水されている。
【特許文献１】実開昭６１−１５２０７４号公報
【発明の開示】
【発明が解決しようとする課題】
【０００４】
しかしながら、上記図７および８、ならびに図９、図１０および特許文献１に例示した浴室用封水筒型排水トラップ装置の場合には、いずれも洗い場（ウ）からの排水、および／または、浴槽（オ）からの排水、どちらの排水においても排水の流れがスムーズに行なわれず、排水トラップ本体（ア）内等にて生成した汚れやぬめり等が排水の流れとともに流出しないため、これら汚れやぬめり等が排水経路中に堆積し、排水経路を塞ぐことがあるという問題があった。
【０００５】
そこで、以上のとおりの事情に鑑み、この出願の発明は、従来の問題点を解消して、排水の流れをスムーズにして流速を増大させることができ、排水経路中の汚れやぬめり等の堆積を抑制することができる、新しい浴室用封水筒型排水トラップ装置を提供することを課題としている。
【課題を解決するための手段】
【０００６】
この出願の発明は、上記の課題を解決するものとして、第１には、排水トラップ本体から排水するための排水配管が、排水配管の中心軸が排水トラップ本体の水平面における中心軸に対して４５度から９０度の範囲の角度を有して、排水トラップ本体の円周方向に沿って、排水トラップ本体に連設されていることを特徴とする浴室用封水筒型排水トラップ装置を提供し、第２には、浴室からの排水を排水トラップ本体に導くための排水導管が、排水導管の中心軸が排水トラップ本体の水平面における中心軸に対して４５度から９０度の範囲の角度を有して、排水トラップ本体の円周方向に沿って、排水トラップ本体に連設されていることを特徴とする浴室用封水筒型排水トラップ装置を提供する。
【０００７】
また、この出願の発明は、第３には、排水トラップ本体から排水するための排水配管が、排水配管の中心軸が排水トラップ本体の水平面における中心軸に対して４５度から９０度の範囲の角度を有して、排水トラップ本体の円周方向に沿って、排水トラップ本体に連設され、浴槽からの排水を排水トラップ本体に導くための排水導管が、排水導管の中心軸が排水トラップ本体の水平面における中心軸に対して４５度から９０度の範囲の角度を有して、排水トラップ本体の円周方向に沿って、排水トラップ本体に連設されており、かつ、排水配管および排水導管それぞれの中心軸が排水トラップ本体の水平面における中心軸に対して逆の角度で連設されていることを特徴とする浴室用封水筒型排水トラップ装置を提供し、第４には、排水配管および排水導管の連設箇所が、垂直方向で略重なる位置に設けられている浴室用封水筒型排水トラップ装置を、そして、第５には、排水導管が、浴槽以外からの排水を排水トラップ本体に導くための排水導管である浴室用封水筒型排水トラップ装置を提供する。
【発明の効果】
【０００８】
上記のとおりのこの出願の第１ないし第５の発明の浴室用封水筒型排水トラップ装置によれば、洗い場からの排水だけでなく、浴槽からの排水等の複数箇所からの排水が流れてきても、排水の流れをスムーズにして流速を増大させて汚れやぬめり等を流出させることができ、排水経路中における汚れやぬめり等の堆積を抑制することができる。
【発明を実施するための最良の形態】
【０００９】
この出願の発明は、上記のとおりの特徴をもつものであるが、以下に、添付した図面に沿って、この出願の発明の実施形態について詳細かつ具体的に説明する。
【００１０】
図１は、この出願の発明の一実施形態として、排水配管（３）の連設の角度（α）を９０度とした場合を模式的に例示した断面図および要部拡大平面図である。図２は、図１の実施形態を模式的に例示した拡大図であり、（Ａ）は平面図、（Ｂ）は断面図を示している。図３は、排水配管（３）の連設の角度（α）を４５度とした場合を模式的に例示した平面図である。なお、図中の矢印は、排水が流れる方向を示している。
【００１１】
この出願の発明の浴室用封水筒型排水トラップ装置は、第１には、図１および図２に例示したとおり、浴室の洗い場（６）や浴槽（７）からの排水を排水トラップ本体（１）から排水するための排水配管（３）が、一定の角度（α）を有して、下水管からの異臭等を防ぐための封水筒（２）を備えた排水トラップ本体（１）に連設されているものである。この排水配管（３）の連設の際には、排水配管（３）の中心軸（ＣＬ２）が排水トラップ本体（１）の水平面における中心軸（ＣＬ１）（中心方向）に対して４５度から９０度の範囲の角度（α）を有して、かつ、排水トラップ本体（１）の円周方向に沿って、排水トラップ本体（１）に連設されていることを特徴としている。なお、図１および図２の例では、この連設の角度（α）は９０度である。
【００１２】
このような排水配管（３）の連設構造により、排水トラップ本体（１）に流れ込んできた排水は、排水トラップ本体（１）の排水流出口（１１）から排水配管（３）へ流れ込み、最終的に排出口へと排水される。この一連の排水の流れにおいて、排水は、円周方向に流れるため、流れがスムーズであり、流速が増大し、そして、汚れやぬめり等が排水の流れとともに流出して、排水経路中における汚れやぬめり等の堆積を抑制することができる。
【００１３】
図３に例示した、排水配管（３）の排水トラップ本体（１）への連設の角度（α）を４５度とした場合においても、上記の例と同様に、排水は円周方向に流れるため、排水の流れがスムーズであり、流速が増大し、排水経路中における汚れやぬめり等の堆積を抑制することができる。
【００１４】
また、この出願の発明の浴室用封水筒型排水トラップ装置は、第２には、図４ないし図６に後述するように、浴槽（７）からの排水を排水トラップ本体（１）に導くための排水導管（４）を排水トラップ本体（１）に、一定の角度（α）を有して連設させた浴室用封水筒型排水トラップ装置でもある。すなわち、この第２の発明の浴室用封水筒型排水トラップ装置は、上記の例と同様に、連設の角度（α）を排水導管（４）の中心軸（ＣＬ３）が排水トラップ本体（１）の水平面における中心軸（ＣＬ１）に対して４５度から９０度の範囲にして、排水トラップ本体（１）の円周方向に沿って、排水導管（４）を排水トラップ本体（１）に連設していることを特徴としている。このような連設構造を有する浴室用封水筒型排水トラップ装置により、排水を排水トラップ本体（１）の円周方向にスムーズに流して流速を増大させ、排水経路中における汚れやぬめり等の堆積を抑制することができる。
【００１５】
図４は、この出願の発明の別の実施形態として、排水配管（３）および排水導管（４）それぞれの連設の角度（α１）（α２）を９０度とした場合を模式的に例示した断面図および要部拡大平面図である。図５は、図４の実施形態を例示した拡大図であり、（Ａ）は平面図、（Ｂ）は断面図を示している。図６は、排水配管（３）および排水導管（４）それぞれの連設の角度（α１）（α２）を４５度とした場合を模式的に例示した平面図である。図４、図５および図６中の矢印は、図１、図２および図３と同様に、排水の流れる方向を示している。
【００１６】
図４ないし図６に例示したとおり、この出願の発明の浴室用封水筒型排水トラップ装置は、第３の発明として、洗い場（６）からの排水および浴槽（７）からの排水等というように複数箇所からの排水をスムーズに排水することができる浴室用封水筒型排水トラップ装置を提供する。
【００１７】
この第３の発明の浴室用封水筒型排水トラップ装置は、排水トラップ本体（１）からの排水を排出口に排水するための排水配管（３）が、排水配管（３）の中心軸（ＣＬ２）が排水トラップ本体（１）の水平面における中心軸（ＣＬ１）に対して４５度から９０度の範囲の角度（α１）を有して、排水トラップ本体（１）の円周方向に沿って排水トラップ本体（１）に連設されており、そして、浴槽（７）からの排水を排水トラップ本体（１）に導くための排水導管（４）が、排水導管（４）の中心軸（ＣＬ３）が排水トラップ本体（１）の水平面における中心軸（ＣＬ１）に対して４５度から９０度の範囲の角度（α２）を有して、排水トラップ本体（１）の円周方向に沿って排水トラップ本体（１）に連設されている。さらに、排水配管（３）および排水導管（４）それぞれの中心軸（ＣＬ２）（ＣＬ３）が、排水トラップ本体（１）の水平面における中心軸（ＣＬ１）に対して逆の角度で連設されていることを特徴としている。
【００１８】
このような排水配管（３）および排水導管（４）の連設構造により、排水導管（４）を通じて浴槽（７）から流れ込んできた排水は、排水導管（４）の排水流入口（４１）から排水トラップ本体（１）内へと流れ込む。そして、この排水トラップ本体（１）に流れ込んできた排水は、図１ないし図３の例と同様に、排水トラップ本体（１）の排水流出口（１１）から排水配管（３）へ流れて、最終的に排出口へと排水される。この一連の排水の流れにおいて、排水は、円周方向に流れるため、流れがスムーズであり、流速が増大し、そして、汚れやぬめり等も排水の流れとともに流出し、排水経路中における汚れやぬめり等の堆積を抑制することができる。
【００１９】
なお、この出願の発明における、「逆の角度」とは、図５および図６それぞれに示しているように、排水配管（３）の連設の角度（α１）と排水導管（４）の連設の角度（α２）との位置関係が、逆方向の角度に離れていることを意味している。
【００２０】
さらに、この出願の発明の浴室用封水筒型排水トラップ装置は、第４には、図４および図５に例示したとおり、排水配管（３）および排水導管（４）それぞれの連設箇所が、垂直方向で略重なる位置に設けられていることを特徴とするものである。これにより、排水の流れがよりスムーズになるので好ましい。
【００２１】
さらにまた、この出願の発明の浴室用封水筒型排水トラップ装置は、第５には、図４ないし図６に例示した排水導管（４）が、浴槽（７）以外、たとえば、洗面台や流し等からの排水を排水トラップ本体（１）に導く排水導管であることを特徴とするものである。これにより、浴槽（７）からの排水を排水トラップ本体（１）に導く排水導管（４）と同様に、浴槽（７）以外からの排水においても、排水が円周方向に流れるため、排水の流れがスムーズであり、流速が増大し、排水経路中における汚れやぬめり等の堆積を抑制することができる。
【００２２】
なお、この出願の発明の浴室用封水筒型排水トラップ装置において、排水配管（３）および排水導管（４）を、排水配管（３）および排水導管（４）の中心軸（ＣＬ２）（ＣＬ３）が排水トラップ本体（１）の水平面における中心軸（ＣＬ１）に対して４５度から９０度の範囲の角度（α）を有するように連設し、かつ、排水トラップ本体（１）の円周方向に沿って連設した理由は、かかる角度および方向に連設することによって、排水が円周方向にスムーズに流れ、排水の円心作用（渦巻き作用）によって排水の流速が増大し、汚れやぬめり等を排水経路外へ強制的に流出させることができるためである。
【００２３】
また、図２、図３、図５および図６において、（５）は、排水トラップ本体（１）の上面に設けられているフランジである。
【００２４】
また、この出願の発明の浴室用封水筒型排水トラップ装置においては、以上の例示によって限定されるものではない。たとえば、排水配管（３）や排水導管（４）等の各部材の大きさや形状、数、構造、材質等、その細部の形態において様々に可能であることは言うまでもない。
【産業上の利用可能性】
【００２５】
以上詳しく説明したとおり、この出願の発明によって、排水の流れをスムーズにして流速を増大させ、排水経路中における汚れやぬめり等の堆積を抑制することができる、新しい浴室用封水筒型排水トラップ装置が提供される。
【図面の簡単な説明】
【００２６】
【図１】この出願の発明の一実施形態として、排水配管の連設の角度を９０度とした場合を模式的に例示した断面図および要部拡大平面図である。
【図２】図１の実施形態を例示した拡大図であり、（Ａ）は平面図、（Ｂ）は断面図を示している。
【図３】排水配管の連設の角度を４５度とした場合を模式的に例示した平面図である。
【図４】この出願の発明の別の実施形態として、排水配管および排水導管ぞれぞれの連設の角度を９０度とした場合を模式的に例示した断面図および要部拡大平面図である。
【図５】図４の実施形態を例示した拡大図であり、（Ａ）は平面図、（Ｂ）は断面図を示している。
【図６】排水配管および排水導管それぞれの連設の角度を４５度とした場合を模式的に例示した平面図である。
【図７】従来の排水トラップ装置を模式的に例示した断面図および要部拡大平面図である。
【図８】図７の排水トラップ装置を模式的に例示した拡大図であり、（Ａ）は平面図、（Ｂ）は断面図である。
【図９】従来の別の排水トラップ装置を模式的に例示した断面図および要部拡大平面図である。
【図１０】図９の排水トラップ装置を模式的に例示した拡大図であり、（Ａ）は平面図、（Ｂ）は断面図である。
【符号の説明】
【００２７】
１  排水トラップ本体
１１  排水流出口
２  封水筒
３  排水配管
４  排水導管
４１  排水流入口
５  フランジ
６  洗い場
７  浴槽
ＣＬ１  排水トラップ本体の中心軸
ＣＬ２  排水配管の中心軸
ＣＬ３  排水導管の中心軸
α  角度
α１  排水配管の連設の角度
α２  排水導管の連設の角度
ア  排水トラップ本体
イ  封水筒
ウ  洗い場
エ  排水配管
オ  浴槽
カ  排水口
キ  排水導管
ク  排水トラップ本体の中心軸
ケ  排水配管の中心軸、排水導管の中心軸
【図１】
2005180077.tif 000003
【図２】
2005180077.tif 000004
【図３】
2005180077.tif 000005
【図４】
2005180077.tif 000006
【図５】
2005180077.tif 000007
【図６】
2005180077.tif 000008
【図７】
2005180077.tif 000009
【図８】
2005180077.tif 000010
【図９】
2005180077.tif 000011
【図１０】
2005180077.tif 000012